(57)【要約】【課題】  遠隔監視において異常が検出された場合に，異常の原因を特定可能とする。【解決手段】  加入者線端局装置１は，光ファイバ６を介して加入者線終端装置２に接続される。加入者線端局装置１は，加入者終端装置２における複数の監視項目の正常または異常をそれぞれ表す複数の監視信号を加入者終端装置２から受信する。加入者線端局装置１は，受信した複数の監視信号のうち，２以上のものが異常を表す場合には，その中から所定の優先順位に基づいて優先順位の高い監視信号を選択し，ＯｐＳに通知する。この優先順位による選択処理は，加入者線端局装置１が自装置の異常を検出した場合に出力される警報信号と監視信号との間にも適用される。優先順位に基づいて選択される信号を異常の根本となる原因を表す信号とすることにより，異常の原因を一意に特定できる。【選択図】        図１
2008109654.tif 000002
【特許請求の範囲】
【請求項１】
光ファイバを介して加入者線終端装置に接続されて前記光ファイバを介して通信されるデータに対して物理レイヤの処理を行う物理レイヤ装置と，論理レイヤの処理を行う論理レイヤ装置と，前記物理レイヤの一部を構成する保守用サブレイヤの処理を実行し，前記物理レイヤ装置と前記論理レイヤ装置とに接続された保守サブレイヤ装置とを有する加入者線端局装置において，
前記保守サブレイヤ装置は，
前記加入者線終端装置または前記物理レイヤ装置との間の折り返し試験を行うための試験データを有するペイロード部を含んだ試験フレームを生成して前記論理レイヤ装置に送信するとともに，前記加入者線終端装置または前記物理レイヤ装置から折り返し返信された前記試験フレームを前記論理レイヤ装置から受信して検査する試験フレーム処理部と，
前記論理レイヤ装置から受信された前記試験フレームを前記物理レイヤ装置に転送するとともに，前記物理レイヤ装置から受信された前記試験フレームを前記論理レイヤ装置に転送する第１ポート部と，
を備え，
前記論理レイヤ装置は，前記試験フレーム処理部からの前記試験フレームを前記第１ポート部へ転送し，前記第１ポート部からの前記試験フレームを前記試験フレーム処理部に転送する第２ポート部を備えている，
ことを特徴する加入者線端局装置。
【請求項２】
光ファイバを介して加入者線終端装置に接続され，前記光ファイバを介して通信されるデータに対して物理レイヤの処理を行う物理レイヤ装置と，論理レイヤの処理を行う論理レイヤ装置と，前記物理レイヤの一部を構成する保守用サブレイヤの処理を実行し，前記物理レイヤ装置と前記論理レイヤ装置とに接続された保守サブレイヤ装置とを有する加入者線端局装置の折り返し試験方法であって，
前記保守サブレイヤ装置は，前記加入者線終端装置または前記物理レイヤ装置との間の折り返し試験を行うための試験データを有するペイロード部を含んだ試験フレームを生成して前記論理レイヤ装置に送信し，
前記論理レイヤ装置は，前記保守サブレイヤ装置からの前記試験フレームを前記保守サブレイヤ装置を介して前記物理レイヤ装置に転送し，
前記保守サブレイヤ装置は，前記加入者線終端装置または前記物理レイヤ装置から折り返し返信された前記試験フレームを前記論理レイヤ装置に返信し，
前記論理レイヤ装置は，前記保守サブレイヤ装置から返信された前記試験フレームを前記保守サブレイヤ装置にさらに返信し，
前記保守サブレイヤ装置は，前記論理レイヤ装置から返信された前記試験フレームを受信して検査する，
折り返し試験方法。
【発明の詳細な説明】
【技術分野】
【０００１】
本発明は，光ファイバにより加入者線終端装置に接続される加入者線端局装置に関し，特に，加入者線終端装置の監視信号または加入者線端局装置の警報信号を優先順位に基づいて選択する加入者線端局装置，および，加入者線端局装置の論理レイヤを含めた折り返し試験が可能な加入者線端局装置に関する。
【０００２】
また，本発明は，光ファイバにより加入者線終端装置に接続される加入者線端局装置の折り返し試験方法に関し，特に，加入者線端局装置の論理レイヤを含めた試験が可能な折り返し試験方法に関する。
【背景技術】
【０００３】
光ファイバをユーザ宅まで引き込むＦＴＴＨ（Fiber to the Home）等の加入者系光通信システムが普及し始めている。
【０００４】
図１（Ａ）および（Ｂ）は，加入者線端局装置（局内メディアコンバータ，以下「局内ＭＣ（Media Converter）」という。）および加入者終端装置（宅内メディアコンバータ，以下「宅内ＭＣ」という。）を有する加入者系光通信システムの全体構成を示すブロックである。同図（Ａ）は，１台の局内ＭＣ１に１台の宅内ＭＣ２0が接続された例を示し，同図（Ｂ）は，ユーザの収容性を高めるために，１台の局内ＭＣ１に複数の宅内ＭＣ２1〜２n（ｎは２以上の整数）が接続された例を示している。
【０００５】
局内ＭＣ１は局舎に設置され，宅内ＭＣ２0，２1〜２n（以下では，特に区別する必要がある場合を除き「宅内ＭＣ２」と総称する。）はユーザ宅に設置される。
【０００６】
局内ＭＣ１の一方のポートと，宅内ＭＣ２の一方のポートとは，１本のシングルモード光ファイバ６0，６1〜６n（以下では，特に区別する必要がある場合を除き「光ファイバ６」と総称する。）でそれぞれ接続される。光ファイバ６内では，局内ＭＣ１から宅内ＭＣ２へ向かう下りリンク（ダウンリンク）信号と，宅内ＭＣ２から局内ＭＣ１へ向かう上りリンク（アップリンク）信号とに，それぞれ異なる波長の光が割り当てられ，両者間で全二重双方向通信が行われる。たとえばダウンリンクに波長１．５５μｍが，アップリンクに波長１．３μｍが，それぞれ割り当てられる。これにより，ポイントツーポイント型の通信サービスが提供される。
【０００７】
局内ＭＣ１の他方のポートは，ＵＴＰ（Unshielded Twist Pair）ケーブル５を介してＷＡＮ（Wide Area Network）４に接続される。宅内ＭＣ２の他方のポートは，ＵＴＰケーブル７0，７1〜７n（以下では，特に区別する必要がある場合を除き「ＵＴＰケーブル７」と総称する。）を介して，ユーザ端末の一例としてのＰＣ（Personal Computer）３0，３1〜３n（以下では，特に区別する必要がある場合を除き「ＰＣ３」と総称する。）に接続される。これにより，ＷＡＮ４からのデータが，局内ＭＣ１および宅内ＭＣ２を介してＰＣ３に転送され，ＰＣ３からのデータは，宅内ＭＣ２および局内ＭＣ１を介してＷＡＮ４へ送信される。
【０００８】
局内ＭＣ１と宅内ＭＣ２との間では，光イーサアクセス方式が採用され，IEEE802.3準拠の媒体アクセス制御（ＭＡＣ：Media Access Control）フレームにより主信号（ユーザデータ）が通信される。
【０００９】
一方で，局内ＭＣ１は，監視および制御用のオペレーションシステム（ＯｐＳ：Operation System）端末（図示略）とのインタフェース装置を有し，このインタフェース装置を介してＯｐＳ端末と接続される。そして，ＯｐＳ端末は，局内ＭＣ１を介して宅内ＭＣ２の遠隔監視および遠隔制御を行う。このような遠隔監視および遠隔制御を行うために，局内ＭＣ１から宅内ＭＣ２へは制御信号が送信され，宅内ＭＣ２から局内ＭＣ１へは監視信号が送信される。
【００１０】
これら制御信号および監視信号は，特別に定義されるフレーム（以下「ＯＡＭ（Operation, Administration and Maintenance）フレーム」という。）により送信される。
【００１１】
制御信号には，図３（Ａ）および（Ｂ）に示すように，折り返し試験（後述）の開始要求および解除要求を示す“LOOP-MCQ”が含まれる。監視信号には，図３（Ａ）および（Ｃ）に示すように，“LOOP-MCS”，“RMT-POWER”，“RMT-FX-LINK”，“RMT-TX-LINK”，および“RMT-EQP”が含まれる。
【００１２】
監視信号LOOP-MCSは，制御信号LOOP-MCQの確認応答（開始応答または解除応答）として宅内ＭＣ２から局内ＭＣ１へ返信される信号である。監視信号RMT-POWERは，局内ＭＣ２の電源の状態（正常／異常）を表す信号である。監視信号RMT-TX-LINKは，ＵＴＰケーブル７の状態を表す信号である。監視信号RMT-FX-LINKは，光ファイバ６の光信号の受信状態を表す信号である。監視信号RMT-EQPは，宅内ＭＣ２の装置の状態を表す信号である。なお，以下では，異常発生を表す監視信号を警報信号と呼ぶ場合がある。
【００１３】
これら監視信号（警報信号）は，宅内ＭＣ２から局内ＭＣ１へ送信され，局内ＭＣ１からＯｐＳに与えられる。
【００１４】
一方，局内ＭＣ１も自らの状態を監視し，異常が検出されると警報をＯｐＳに与える。局内ＭＣ１が異常を検出した場合にＯｐＳに与える警報としては，図３（Ｄ）に示すように，ＵＴＰケーブル５のリンク断を表す“UPLINK”，局内ＭＣ１の光リンク断を表す“DOWNLINK”，および局内ＭＣ１の装置故障（メモリエラー等）を表す“EQP”がある。
【００１５】
図３（Ｅ）に示すように，宅内ＭＣ２が検出する警報には，ＵＴＰケーブル７のリンク断を表す“TXLINK”および光ファイバ６の光信号の受信異常を表す“FXLINK”がある。
【００１６】
また，新たな宅内ＭＣ２がユーザ宅に設置された際のサービス開通前の伝送路の正常性確認のためや，障害発生時の障害ポイントの切り分け（絞り込み）のために，局内ＭＣ１と宅内ＭＣ２との間で，折り返し試験が実施される。図１３は，従来の折り返し試験のシーケンス図であり，図２は，局内ＭＣ１および宅内ＭＣ２の論理階層モデルを示すブロック図である。
【００１７】
局内ＭＣ１は，論理階層モデルとして，物理レイヤ（ＯＳＩ第１層）および論理レイヤ（ＭＡＣ層（ＯＳＩ第２層の下位副層））を有する。物理レイヤには，保守用の保守サブレイヤが設けられる。論理レイヤは，特に，複数の宅内ＭＣ２を１台の局内ＭＣ１に接続する形態において設けられる。
【００１８】
これら各レイヤの処理を実行する装置は個別に設けられ，たとえば，保守サブレイヤを除く物理レイヤの処理を実行する装置は集積回路素子であるＰＨＹチップからなり，保守サブレイヤの処理を実行する装置はＡＳＩＣ（たとえばＦＰＧＡ）からなり，論理レイヤの処理を実行する装置は集積回路素子であるＭＡＣチップからなる。
【００１９】
同様にして，宅内ＭＣ２も，たとえば，物理レイヤの処理を実行するＰＨＹチップ，保守サブレイヤの処理を実行するＦＰＧＡ，および論理レイヤの処理を実行するＭＡＣチップを有する。なお，宅内ＭＣ２は，論理レイヤを有しない場合もあり，この場合には，ＭＡＣチップは省略されることがある。
【００２０】
この折り返し試験では，まず，ＯｐＳ端末から折り返し試験開始イベントが局内ＭＣ１のインタフェース装置を介して保守サブレイヤに与えられる。局内ＭＣ１の保守サブレイヤは，折り返し試験開始イベントを受信すると，図３（Ｂ）に示す折り返し試験開始要求（LOOP-MCQ＝１）をＯＡＭフレームにより宅内ＭＣ２に送信する。宅内ＭＣ２がこれを受信すると，自装置の主信号転送経路内にループ経路を形成し，その後，図３（Ｃ）に示す折り返し試験開始応答（LOOP-MCS＝１）をＯＡＭフレームにより局内ＭＣ１に送信する。続いて，図１４に示すフォーマットの試験フレームが，局内ＭＣ１と宅内ＭＣ２との間で，所定の送信周期（間隔）で連続的に複数回送受信される。
【００２１】
試験フレームは，プリアンブル，ＳＦＤ（Start of Frame Delimiter），および試験パターンを有する。試験パターンは，保守サブレイヤが有する擬似ノイズ（ＰＮ：Pseudo Noise）生成器（図示略）により生成されたＰＮパターン（たとえばＰＮ１５＝Ｘ15＋Ｘ2＋１）である。
【００２２】
宅内ＭＣ２で受信された試験フレームは，物理レイヤの保守サブレイヤに与えられ，折り返して，局内ＭＣ１に返信される。
【００２３】
局内ＭＣ１の保守サブレイヤは，宅内ＭＣ２から折り返し返信された試験フレームの試験パターンをチェックし，エラーのあるビット数をカウントする。
【００２４】
このような試験フレームの送受信が，所定の時間（タイマに設定された時間）の間繰り返され，ＯｐＳから試験終了が通知されると，折り返し試験は終了する。試験終了により，図３（Ｂ）に示す折り返し試験解除要求（LOOP-MCQ＝０）が局内ＭＣ１から宅内ＭＣ２にＯＡＭフレームにより送信され，図３（Ｃ）に示す折り返し試験解除応答（LOOP-ＭＣS＝０）が宅内ＭＣ２から局内ＭＣ１にＯＡＭフレームにより送信される。
【００２５】
そして，局内ＭＣ１は，試験結果として，ＰＮ同期が確立したかどうかの情報およびエラーカウント（エラービット数の合計値）をＯｐＳに通知する。これにより，光ファイバ伝送路６を含めた物理レイヤの導通確認が行われる。
【発明の開示】
【発明が解決しようとする課題】
【００２６】
前述した従来の遠隔監視では，宅内ＭＣ２から局内ＭＣ１に送信された監視信号RMT-EQP，RMT-POWER等のすべてが局内ＭＣ１からＯｐＳに与えられるとともに，局内ＭＣ１により監視された警報信号UPLINK，DOWNLINK等もすべてＯｐＳに与えられる。
【００２７】
したがって，同じ原因で発生した異常を通知する警報信号が，複数の異なる警報信号としてＯｐＳに与えられることがある。たとえば，宅内ＭＣ１と局内ＭＣ２との間の光区間に障害が発生した場合に，光受信異常の警報信号RMT-FX-LINKと，局内ＭＣ１の加入者線ポートのリンク断の警報信号DOWNLINKとが，局内ＭＣ１で収集され，ＯｐＳに通知され，表示される。また，宅内ＭＣ２が電源断となった場合に，宅内ＭＣ２の送信光電力が低下したり，宅内ＭＣ２のＵＴＰ側がリンク断したりするため，警報信号DOWNLINKやRMT-TX-LINKが局内ＭＣ１に収集され，ＯｐＳに通知および表示される。
【００２８】
このように，従来，局内ＭＣ１で収集された警報情報は，そのままＯｐＳへ通知および表示されていたので，宅内ＭＣ１の１つの警報発生原因によって複数の警報信号が発生した場合に，その原因を特定することができなかった。
【００２９】
また，従来の折り返し試験では，試験フレームが，局内ＭＣ１の保守サブレイヤを含む物理レイヤを通過するが，論理レイヤを通過していなかった。したがって，論理レイヤ用装置（たとえばＭＡＣチップ）に異常がある場合に，この異常を折り返し試験によって検出することができなかった。すなわち，論理レイヤ用装置に異常がある場合に，試験フレームによる試験では異常がないにも関わらず，実際の運用におけるユーザフレームは論理レイヤ用装置を通過するので，ユーザフレームは通信できない事態も生じていた。
【００３０】
そこで，本発明の第１の目的は，遠隔監視において異常が検出された場合に，異常の原因を特定可能とすることにある。
【００３１】
また，本発明の第２の目的は，局内ＭＣからＯｐＳへ通知される無駄な警報をなくすことにある。
【００３２】
さらに，本発明の第３の目的は，物理レイヤと論理レイヤを合わせた全体の試験を可能とすることにある。
【発明の効果】
【００３３】
本発明によると，不要な警報の送信を抑制することができる。また，本発明によると，警報の原因を一意に特定することができる。
【００３４】
さらに，本発明によると，論理レイヤに対応する装置の状態をチェックすることができる。
【課題を解決するための手段】
【００３５】
本発明の第１の側面による加入者線端局装置は，光ファイバにより加入者線終端装置に接続される加入者線端局装置において，前記加入者線終端装置から前記光ファイバを介して送信され，該加入者終端装置における複数の監視項目の正常または異常をそれぞれ表す複数の監視信号を受信する受信部と，前記受信部により受信された前記複数の監視信号のうち，２以上のものが異常を表す場合には，該２以上の異常を表す監視信号の中から所定の優先順位に基づいて優先順位の高い監視信号を選択する選択部と，を備えていることを特徴とする。
【００３６】
本発明の第１の側面によると，複数の監視信号のうち，２以上のものが異常を表す場合には，該２以上の異常を表す監視信号の中から所定の優先順位に基づいて優先順位の高い監視信号が選択される。したがって，この選択された監視信号をＯｐＳ等に通知することにより無駄な警報通知をなくすことができる。また，優先順位の高い監視信号（すなわち選択される監視信号）を異常の根本となる原因を表すものとすることにより，異常の原因を一意に特定することができる。
【００３７】
また，本発明の第２の側面による加入者線端局装置は，光ファイバにより加入者線終端装置に接続される加入者線端局装置において，自装置における複数の監視項目の正常または異常を監視し，異常を検出した監視項目に対応する警報信号を出力する監視部と，前記監視部が前記複数の監視項目のうち２以上の監視項目にそれぞれ対応する２以上の警報信号を出力した場合には，該２以上の警報信号の中から所定の優先順位に基づいて優先順位の高い警報信号を選択する選択部と，を備えていることを特徴とする。
【００３８】
本発明の第２の側面によっても，第１の側面と同様に，選択された警報信号をＯｐＳ等に通知することにより無駄な警報通知をなくすことができる。また，優先順位の高い警報信号（すなわち選択される警報信号）を異常の原因を表すものとすることにより，異常の原因を一意に特定することができる。
【００３９】
本発明の第３の側面による加入者線端局装置は，光ファイバにより加入者線終端装置に接続される加入者線端局装置において，自装置における複数の監視項目の正常または異常を監視し，異常を検出した監視項目に対応する警報信号を出力する監視部と，前記加入者線終端装置から前記光ファイバを介して送信され，該加入者終端装置における複数の監視項目の正常または異常をそれぞれ表す複数の監視信号を受信する受信部と，前記監視部が前記複数の監視項目のうち２以上の監視項目にそれぞれ対応する２以上の警報信号を出力した場合には，該２以上の警報信号の中から所定の優先順位に基づいて優先順位の高い警報信号を選択し，前記受信部により受信された前記複数の監視信号のうち，２以上のものが異常を表す場合には，該２以上の異常を表す監視信号の中から前記優先順位に基づいて優先順位の高い監視信号を選択し，または，前記監視部が前記複数の監視項目のうち少なくとも１つの監視項目に対応する警報信号を出力し，かつ，前記受信部により受信された前記複数の監視信号のうち少なくとも１つが異常を表す場合には，前記少なくとも１つの警報信号および前記少なくとも１つの監視信号の中から前記優先順位に基づいて優先順位の高い警報信号または監視信号を選択する選択部と，を備えていることを特徴とする
本発明の第３の側面によっても，前記第１および第２の側面と同様の作用効果が得られる。
【００４０】
本発明の第４の側面による加入者線端局装置は，光ファイバを介して加入者線終端装置に接続されて前記光ファイバを介して通信されるデータに対して物理レイヤの処理を行う物理レイヤ装置と，論理レイヤの処理を行う論理レイヤ装置と，前記物理レイヤの一部を構成する保守用サブレイヤの処理を実行し，前記物理レイヤ装置と前記論理レイヤ装置とに接続された保守サブレイヤ装置とを有する加入者線端局装置において，前記保守サブレイヤ装置は，前記加入者線終端装置または前記物理レイヤ装置との間の折り返し試験を行うための試験データを有するペイロード部を含んだ試験フレームを生成して前記論理レイヤ装置に送信するとともに，前記加入者線終端装置または前記物理レイヤ装置から折り返し返信された前記試験フレームを前記論理レイヤ装置から受信して検査する試験フレーム処理部と，前記論理レイヤ装置から受信された前記試験フレームを前記物理レイヤ装置に転送するとともに，前記物理レイヤ装置から受信された前記試験フレームを前記論理レイヤ装置に転送する第１ポート部と，を備え，前記論理レイヤ装置は，前記試験フレーム処理部からの前記試験フレームを前記第１ポート部へ転送し，前記第１ポート部からの前記試験フレームを前記試験フレーム処理部に転送する第２ポート部を備えている，ことを特徴する。
【００４１】
本発明の第４の側面による折り返し試験方法は，光ファイバを介して加入者線終端装置に接続され，前記光ファイバを介して通信されるデータに対して物理レイヤの処理を行う物理レイヤ装置と，論理レイヤの処理を行う論理レイヤ装置と，前記物理レイヤの一部を構成する保守用サブレイヤの処理を実行し，前記物理レイヤ装置と前記論理レイヤ装置とに接続された保守サブレイヤ装置とを有する加入者線端局装置の折り返し試験方法であって，前記保守サブレイヤ装置は，前記加入者線終端装置または前記物理レイヤ装置との間の折り返し試験を行うための試験データを有するペイロード部を含んだ試験フレームを生成して前記論理レイヤ装置に送信し，前記論理レイヤ装置は，前記保守サブレイヤ装置からの前記試験フレームを前記保守サブレイヤ装置を介して前記物理レイヤ装置に転送し，前記保守サブレイヤ装置は，前記加入者線終端装置または前記物理レイヤ装置から折り返し返信された前記試験フレームを前記論理レイヤ装置に返信し，前記論理レイヤ装置は，前記保守サブレイヤ装置から返信された前記試験フレームを前記保守サブレイヤ装置にさらに返信し，前記保守サブレイヤ装置は，前記論理レイヤ装置から返信された前記試験フレームを受信して検査するものである。
【００４２】
本発明の第４の側面によると，論理レイヤ装置にも試験フレームが送信され，論理レイヤ装置を介して，折り返し試験が行われる。したがって，物理レイヤと論理レイヤを合わせた全体の試験を行うことができる。
【発明を実施するための最良の形態】
【００４３】
図１（Ａ）および（Ｂ）は，本発明の実施の形態による加入者系光通信システムの全体構成を示すブロック図である。この図の詳細については，従来の技術の欄で既述したので，ここでは，その説明を省略することとし，以下では，本発明の実施の形態による局内ＭＣ１の詳細な構成，警報通知の処理，および折り返し試験の処理について説明する。
【００４４】
＜局内ＭＣの構成＞
図４は，本発明の実施の形態による局内ＭＣ１の詳細な構成を示すブロック図である。
【００４５】
局内ＭＣ１は，前述した図２に示す通信の論理階層モデルの各レイヤに対応した装置によって構成され，本実施の形態では一例として，保守サブレイヤを除く物理レイヤの処理を実行する物理レイヤ装置１１，保守サブレイヤの処理を実行する保守サブレイヤ装置１２，論理レイヤ（ＭＡＣレイヤ）の処理を実行する論理レイヤ装置１３，ＣＰＵ１４，およびメモリ（ＲＡＭ，ＲＯＭ）１５を有する。
【００４６】
物理レイヤ装置１１は，たとえば汎用のＰＨＹチップ（ファイチップ）からなる。保守サブレイヤ装置１２は，たとえば専用ハードウェアのＡＳＩＣ（たとえばＦＰＧＡ（Field Programming Gate Array））からなる。論理レイヤ装置１３は，たとえば汎用のＭＡＣチップからなる。
【００４７】
これらの構成要素１１〜１５は，内部バス１６に接続され，内部バス１６を介して相互に通信可能となっている。
【００４８】
ＣＰＵ１４は，メモリ１５に記憶されたプログラムを実行して，局内ＭＣ１の制御を行う。たとえば，ＣＰＵ１４は，メモリエラー，タイマ異常等を検出し，検出した異常を保守サブレイヤ装置１２に警報EQP（図３（Ｄ）参照）として通知する。
【００４９】
物理レイヤ装置１１は，一方で，Ｎ個（Ｎは２以上の整数）のポート部１ａ0〜１ａN-1を有する。ポート部１ａ0〜１ａN-1は，宅内ＭＣ２＃０〜＃Ｎ−１（図１（Ｂ）では宅内ＭＣ２1〜２n）に光ファイバ６を介してそれぞれ接続されたポート＃０〜＃Ｎ−１にそれぞれ対応して設けられる。これらのポート部１ａ0〜１ａN-1は，自己に接続された光ファイバ６の状態を監視し，異常を検出した場合には，保守サブレイヤ装置１２に，前述した図３（Ｃ）に示す監視信号RMT-FX-LINKまたは図３（Ｄ）に示す警報DOWNLINKを通知する。
【００５０】
局内ＭＣ１は，図１（Ａ）および（Ｂ）では，１本のＵＴＰケーブルによりＷＡＮ４と接続されているが，複数のポートおよび複数のＵＴＰケーブルによりＷＡＮ４と接続されてもよい。したがって，図４では，物理レイヤ装置１１は，他方で，ＷＡＮ４に接続されたＭ個（Ｍは２以上の整数）のポート＃０〜＃Ｍ−１にそれぞれ対応するポート部１ｂ0〜１ｂM-1を有する。これらのポート部１ｂ0〜１ｂM-1は，自己に接続されたＵＴＰケーブル５の状態を監視し，異常を検出した場合には，保守サブレイヤ装置１２に，前述した図３（Ｄ）に示す警報UPLINKを通知する。
【００５１】
保守サブレイヤ装置１２は，ポート＃０〜＃Ｎ−１にそれぞれ対応するポート部２ａ0〜２ａN-1と，試験フレーム処理部２ｂと，図示しないＯｐＳとのインタフェース装置（図示略）とを有する。
【００５２】
これらポート部２ａ0〜２ａN-1は，同一の回路構成を有し，後述するイーサタイプ識別機能，アドレス入れ替え機能，ＦＣＳ（Frame Check Sequence）計算機能等を有する。
【００５３】
また，保守サブレイヤ装置１２のポート部２ａi（ｉは０〜Ｎ−１のいずれかの整数）と物理レイヤ装置１１のポート部１ａiとは相互に接続され，相互に通信可能になっている。そして，ポート部２ａiは，ＯｐＳからインタフェース装置を介して与えられた制御信号を，対応するポート部１ａiに与える。
【００５４】
一方，ポート部２ａiは，ポート部１ａiが宅内ＭＣ装置＃ｉから受信した監視信号（図３（Ｃ）参照）と，ポート部１ａiが自ら検出した警報信号（図３（Ｄ）参照）とを収集する。そして，ポート部２ａiは，収集した監視信号および警報信号を，所定の優先順位に基づいて処理し，処理後の監視信号または警報信号をインタフェース装置を介してＯｐＳに通知する。優先順位および優先順位に基づく処理については後述する。
【００５５】
試験フレーム処理部２ｂは，折り返し試験に使用される試験フレームを生成して宅内ＭＣ２に向けて送信し，宅内ＭＣ２から返信された試験フレームをチェックして，チェック結果をＯｐＳに通知する。折り返し試験および試験フレームの詳細については後述する。
【００５６】
論理レイヤ装置１３は，ポート＃０〜＃Ｎ−１にそれぞれ対応するポート部３ａ0〜３ａN-1を有する。また，物理レイヤ装置１３は，ポート＃０〜＃Ｎ−１とは異なるポート＃Ｌ（したがってＬ≠０〜Ｎ−１）のポート部３ａLを有する。これらポート部３ａ0〜３ａN-1は，同一の回路構成を有し，アドレス学習機能，設定されたアドレスの記憶レジスタ等を有する。
【００５７】
論理レイヤ装置１３のポート部３ａiと保守サブレイヤ装置のポート部２ａiとは相互に接続され，相互に通信可能になっている。ポート部３ａｉとポート部１ｂ0〜１ｂM-1のいずれかは相互に接続され，相互に通信可能になっている。また，試験フレーム処理部２ｂとポート部３ａLとは相互に接続され，相互に通信可能になっている。さらに，ポート部３ａ0〜３ａN-1および３ａLは，論理レイヤ装置１３の内部で接続され，相互に通信可能になっている。
【００５８】
宅内ＭＣ２＃ｉから送信された主信号（ユーザデータ）は，物理レイヤ装置１１のポート部１ａi，保守サブレイヤ装置１２のポート部２ａi，および論理レイヤ装置１３のポート部３ａiを介して再び物理レイヤ装置１１に与えられ，そのアドレスに従って，ポート部１ｂj（ｊは０〜Ｍ−１のいずれかの整数）からＷＡＮ４に送信される。一方，ＷＡＮ４から物理レイヤ装置１１のポート部１ｂjに受信された主信号は，そのアドレスに従って，論理レイヤ装置１３のポート部３ａi，保守サブレイヤ装置１２のポート部２ａi，および物理レイヤ装置１１のポート部１ａiを介して，宅内ＭＣ２＃ｉに送信される。このようにして，宅内ＭＣ２＃ｉとＷＡＮとの間で通信が行われる。
【００５９】
このような構成を有する局内ＭＣ１により，本発明の実施の形態による警報通知および折り返し試験の処理が実行される。以下では，まず警報通知について説明した後，折り返し試験について説明する。
【００６０】
＜警報通知＞
宅内ＭＣ２から局内ＭＣ１へは，監視信号には，前述した図３（Ａ）および（Ｃ）に示す“LOOP-MCS”，“RMT-POWER”，“RMT-FX-LINK”，“RMT-TX-LINK”，および“RMT-EQP”が含まれる。各信号の意味は，前述した通りであり，この監視信号のうち，監視信号RMT-POWER，RMT-FX-LINK，RMT-TX-LINK，およびRMT-EQPは，宅内ＭＣ２に装置異常が発生した場合における局内ＭＣ１への警報の転送（警報信号）に使用される。
【００６１】
監視信号は，前述したようにＯＡＭフレームにより送信される。図５（Ａ）は，ＯＡＭフレームのフレームフォーマット（４ビットパラレル送信の場合の表記）を示し，同図（Ｂ）は，ＯＡＭフレームを構成する各ビットデータの内容を示している。このＯＡＭフレームフォーマットは，通常のＯＡＭフレームフォーマットである。
【００６２】
先頭の７ビットデータＦ０〜Ｆ７はプリアンブル信号である。プリアンブル信号に続く１ビットデータＣ０は，保守信号識別子であり，この値が０であることにより，このフレームがＯＡＭフレーム（すなわち保守信号用のフレーム）であることを局内ＭＣ１および宅内ＭＣ２は識別することができる。
【００６３】
１ビットデータＳ０は，局内ＭＣ１から宅内ＭＣ２へ送信されるＯＡＭフレームでは，折り返し試験の開始要求または解除要求を表す制御信号LOOP-MCQとなり，宅内ＭＣ２から局内ＭＣ１へ送信されるＯＡＭフレームでは，折り返し試験の開始応答または解除応答を表す監視信号LOOP-MCSとなる。
【００６４】
１ビットデータＳ１は，宅内ＭＣ２の電源の正常または異常を通知する監視信号RMT-POWERであり，“０”の場合には電源が正常を示し，“１”の場合には電源に異常が発生した（すなわち電源断となった）ことを示す。宅内ＭＣ２（物理レイヤ装置）は，電源レベルを監視することにより，電源の正常または異常を判断する。
【００６５】
１ビットデータＳ２は，宅内ＭＣ２の光ファイバ６を介した光受信のLINKUP（正常）またはLINKDOWN（異常）を通知する監視信号RMT-FX-LINKであり，“０”の場合には正常を示し，“１”の場合には受信に異常が発生したことを示す。光信号の異常の原因としては，光ファイバ６の断，宅内ＭＣ２内の受信用フォトダイオードの故障，局内ＭＣ１内の送信用レーザダイオードの故障等がある。宅内ＭＣ２（物理レイヤ装置）は，受信される光のレベルやシンボルエラーレート等を監視することにより光受信の正常または異常を判断する。
【００６６】
１ビットデータＳ３は，宅内ＭＣ２とＰＣ３とを接続するＵＴＰ７のLINKUP（正常）またはLINKDOWN（異常）を通知する監視信号RMT-TX-LINKであり，“０”の場合には正常を示し，“１”の場合には異常が発生したことを示す。宅内ＭＣ２（物理レイヤ装置）は，シンボルエラーレート等を監視することによりＵＴＰ７の正常または異常を判断する。
【００６７】
１ビットデータＳ４は，宅内ＭＣ２の正常または故障を通知する監視信号RMT-EQPであり，“０”の場合には正常を示し，“１”の場合には異常が発生したことを示す。宅内ＭＣ２の故障には，たとえば宅内ＭＣ２の内部メモリのエラー発生，タイマの故障，ＣＰＵのダウン等があり，宅内ＭＣ２（ＣＰＵ等の処理装置）は，これらを監視することにより，正常または異常を判断する。
【００６８】
これら各ビットデータは，保守サブレイヤと物理レイヤとの間のＭＩＩ（Media Independent Interface）（図２参照）でマッピングされる。
【００６９】
このＯＡＭフレームは，図６に示すように，主信号（ユーザデータ）を搬送するユーザフレームとユーザフレームとの間に設けられたアイドル領域（ＩＰＧ：Inter Packet Gap）に挿入されて送信される（インバンド転送）。具体的には，ＩＰＧ内のアイドルパターンをＯＡＭフレームに入れ替えることにより，ＯＡＭフレームは送信される。これにより，ユーザフレームを送信する媒体（シングルモード光ファイバ）と同一媒体上で，ユーザフレームと干渉することなくＯＡＭフレームを転送することができる。
【００７０】
なお，すべてのＩＰＧにＯＡＭフレームが挿入される場合もあるし，所定の個数おきのＩＰＧにＯＡＭフレームが挿入される場合もある。いずれの場合も，ＯＡＭフレームは所定の周期（時間間隔）で送受信される。
【００７１】
また，ＯＡＭフレームは，宅内ＭＣ２および局内ＭＣ１において，フレーム内のビットデータＣ０〜Ｃ６およびフレーム長の実測により，ＯＡＭフレームであるかどうかが判断され，ＯＡＭフレームであると判断されると，終端される。したがって，ＯＡＭフレームは，局内ＭＣ１および宅内ＭＣ２にそれぞれ接続されるＵＴＰケーブル５および７側へ転送されることはない。また，ＷＡＮ４上のＰＣがＵＴＰケーブル５を介して宅内ＭＣ２および局内ＭＣ１にアクセスしても，あるいは，ＰＣ３がＵＴＰケーブル７を介して宅内ＭＣ２にアクセスしても，ＯＡＭフレームのデータを設定変更することはできない。
【００７２】
宅内ＭＣ２＃ｉから局内ＭＣ１に送信されたＯＡＭフレームは，局内ＭＣ１の物理レイヤ装置１１のポート部１ａiから保守サブレイヤ装置１２のポート部２ａiに与えられる。ポート部２ａiは，ＯＡＭフレームに含まれる監視信号が，LOOP-MCSである場合，または，警報信号でない場合（すなわちRMT-EQP，RMT-POWER，RMT-TX-LINK，およびRMT-FX-LINKが正常を表している場合）には，これら監視信号をそのままインタフェース装置を介してＯｐＳに通知する。
【００７３】
一方，ＯＡＭフレームに含まれる監視信号の少なくとも１つが警報信号である場合（すなわちRMT-EQP，RMT-POWER，RMT-TX-LINK，およびRMT-FX-LINKの少なくとも１つが異常を表している場合）には，ポート部２ａiは，所定の優先順位に基づいた警報信号の選択処理を実行し，この選択処理により選択された警報信号をＯｐＳに通知する。
【００７４】
また，物理レイヤ装置１１のポート部１ａiにより検出された警報信号DOWNLINK，ポート部１ｂiにより検出された警報信号UPLINK，およびＣＰＵ１４に検出された警報信号EQPも，ポート部２ａiに与えられる。ポート部２ａiは，これらの警報信号についても，所定の優先順位に従って選択処理を実行し，この選択処理により選択された警報信号をＯｐＳに与える。
【００７５】
図７は，本実施の形態による所定の優先順位の一例を表形式（優先順位表）で示したものである。この図では，優先順位の高いものから順に数字“１”，“２”，および“３”が付されている。
【００７６】
保守サブレイヤ装置１２は，同時または所定の時間内（「所定の時間」については後述）に優先順位の異なる２以上の警報信号を受信した場合には，優先順位の高い警報信号を選択し，選択した警報信号をインタフェース装置を介してＯｐＳに通知する。
【００７７】
この優先順位は，同時または所定の時間内に２以上の警報信号が受信された場合には，優先順位の高い警報信号に対応する故障が発生していることを規定している。
【００７８】
たとえば，保守サブレイヤ装置１２は，局内ＭＣ２の装置故障による警報信号EQPと，局内ＭＣ１のリンク断による警報信号DOWNLINKとを同時または所定の時間内に受信した場合には，この２つの警報信号発生の原因は優先順位の高い警報信号EQPに対応する装置故障によるものとして，高優先順位の警報信号EQPを選択し，警報信号EQPをＯｐＳへ通知する。
【００７９】
同様にして，警報信号RMT-POWER，DOWNLINK，およびRMT-FX-LINKの３つが受信された場合には，RMT-POWERが選択される。警報信号RMT-POWERおよびDOWNLINKが受信された場合には，前者が選択され，警報信号RMT-POWERおよびRMT-EQPが受信された場合には，前者が選択される。
【００８０】
さらに，優先順位２と３との関係，および，優先順位１と優先順位３との関係も同様であり，警報信号DOWNLINKおよびRMT-FX-LINKが受信された場合には，前者が選択される。警報信号RMT-POWERおよびRMT-FX-LINKが受信された場合には，前者が選択される。
【００８１】
ここで，優先順位は，同一の行（横方向の列）内の警報信号のみの関係を規定し，異なる行に位置する警報信号の関係を規定しているものではない。したがって，たとえば，警報信号RMT-TX-LINKとRMT-FX-LINKが同時または所定の時間内に受信された場合には，保守サブレイヤ装置１２は，両警報信号の一方を選択することなく，両警報信号をＯｐＳに通知する。他の異なる行に位置する警報信号についても同様である。
【００８２】
このように優先順位を規定し，同時または所定の時間内に優先順位関係にある複数の警報信号が受信された場合に，優先順位の高い警報信号を選択してＯｐＳに与えることにより，ＯｐＳのオペレータ（または監視者）は，障害の原因を１つに特定することができる。また，保守サブレイヤ装置１２からＯｐＳへの無駄な警報信号の通知を防止することができ，通信コストが削減できる。
【００８３】
ここで，警報信号が受信される時間を「同時」に加えて「所定の時間内」としたのは以下の理由による。すなわち，宅内ＭＣ２からの警報信号（RMT-POWR，RMT-TX-LINK，RMT-FX-LINK，およびRMT-EQP）は，同一のＯＡＭフレームによって局内ＭＣ１に受信されるので，同時に処理できる。一方，局内ＭＣ１の物理レイヤ装置１１によって検出および通知される警報信号（EQP，DOWNLINK等）は，一般に，宅内ＭＣ２からＯＡＭフレームにより受信される警報信号に対して時間差をもって通知される。このため，一定時間を待って受信される複数の警報信号について優先処理を行わないと，保守サブレイヤ装置１１は，従来同様に，不要な警報信号を含む複数の警報信号をＯｐＳに通知することとなる。このため，所定の時間内としている。
【００８４】
この所定の時間は，たとえば，保守サブレイヤ装置１２が警報信号をポーリングする周期（ポーリング周期）Ｔの２倍または３倍程度の時間に設定される。すなわち，保守サブレイヤ装置１２は，図７のテーブルに示される警報信号の１つを受信すると，受信後，時間２Ｔまたは３Ｔの間，他の警報信号の受信を待つ。そして，保守サブレイヤ装置１２は，他の警報信号が受信された場合には優先処理を行い，優先順位の高い警報信号をＯｐＳの通知し，受信されない場合には優先処理を行わず，最初に受信された警報信号をＯｐＳに通知する。
【００８５】
図８は，警報信号の優先処理の一例を示すタイムチャートである。警報監視の時刻（すなわちポーリング時刻）（Ｂ）において警報信号RMT-FX-LINKが受信された場合に，保守サブレイヤ装置１２は，２周期程度待ち，ポーリング時刻（Ｄ）において，警報信号DOWNLINKを検出した場合には，DOWNLINKを選択してＯｐＳへ通知する。一方，保守サブレイヤ装置１２は，警報信号DOWNLINKを受信しない場合には，警報信号RMT-FX-LINKをＯｐＳに通知する。
【００８６】
なお，図８に示す事象とは逆に，警報信号DOWNLINKがRMT-FX-LINKよりも先に受信されることはない。リンク断で局内ＭＣ１はＯＡＭフレームを受信できないからである。したがって，保守サブレイヤ装置１２は，起こり得ない警報信号の順序については，このような所定の時間の経過を待って優先処理をすることを省略することもできる。
【００８７】
このような優先処理は，保守サブレイヤ装置１２のポート部ごとに独立に行われる。
【００８８】
これまで述べた実施の形態では，警報信号がＯｐＳに通知されるが，警報信号は，局内ＭＣ２が有する表示装置（ＣＲＴディスプレイ，液晶ディスプレイ等）に表示されてもよい。
【００８９】
＜折り返し試験＞
次に，本実施の形態による折り返し試験について説明する。本実施の形態による折り返し試験は，局内ＭＣ１の論理レイヤ装置１３を含めて行われる。これにより，論理レイヤの試験を行うこともでき，論理レイヤの正常または異常もチェックすることができる。
【００９０】
論理レイヤ装置１３を含めて折り返し試験を行うために，本実施の形態では，試験フレームが，保守サブレイヤ装置１２および物理レイヤ装置１１だけでなく，論理レイヤ装置１３内も通過するように送信される。
【００９１】
具体的には，局内ＭＣ１の保守サブレイヤ装置１２の試験フレーム処理部２ｂで作成された試験フレームは，論理レイヤ装置１３に送信され，論理レイヤ装置１３から保守サブレイヤ装置１２の指定されたポート部２ａiに送信される。そして，試験フレームは，ポート部２ａiから物理レイヤ装置１１のポート部１ａiへ与えられ，ポート部１ａiから光ファイバを介して宅内ＭＣ２＃ｉに送信される。その後，宅内ＭＣ２＃ｉから折り返し返信された試験フレームは，ポート部１ａiからポート部２ａiを介して論理レイヤ装置１３に入力され，論理レイヤ装置１３から試験フレーム処理部２ｂに戻る。
【００９２】
なお，宅内ＭＣ２では，論理レイヤが存在しない場合もあるので，試験フレームは，宅内ＭＣ２において，物理レイヤ装置および保守サブレイヤ装置（図２参照）を通過する。宅内ＭＣ２に論理レイヤ装置が存在する場合には，試験フレームは，この論理レイヤを通過してもよい。
【００９３】
試験フレームが論理レイヤを通過できるようにするために，試験フレームは，従来のように特殊なフレームではなく，ＭＡＣフレームとされる。図９は，本実施の形態による試験フレームのフォーマットを示している。
【００９４】
試験フレームは，デスティネーションアドレス（宛先ＭＡＣアドレス）ＤＡ（６バイト），ソースアドレス（送信元ＭＡＣアドレス）ＳＡ（６バイト），イーサタイプ（フレームタイプ）（２バイト），ユーザデータ（４８〜１４９８バイト），ＣＲＣ（２バイト），およびフレームチェックシーケンスＦＣＳ（４バイト）からなる。ユーザデータおよびＣＲＣは，ペイロード部を構成する。この試験フレームは，試験フレーム処理部２ｂにより生成される。
【００９５】
宛先ＭＡＣアドレス（以下「宛先アドレス」と略す。）ＤＡは，この試験フレームが局内ＭＣ１と宅内ＭＣ２との間でのみ通信され，ＰＣ３やＷＡＮ４等へ送信されないことから，特に指定される必要はないが，本実施の形態では，送信先となる論理レイヤ装置１３のポートアドレス（ポート番号）を設定することとする。これにより，デバッグが行いやすくなる。
【００９６】
送信元ＭＡＣアドレス（以下「送信元アドレス」と略す。）ＳＡも，特に指定される必要はないが，デバッグを容易にするために，試験フレーム処理部２ｂが接続されるポートであるポート＃Ｌのポート番号に設定することとする。
【００９７】
イーサタイプ（フレームタイプ）は，試験フレームでは，ループバックを示す０ｘ９０００の固定値に設定される。ユーザデータには，試験用のランダムな値が設定される。ＣＲＣは，ペイロード部の先頭からＣＲＣの直前までのユーザデータの値について，計算式ｘ16＋ｘ15＋ｘ2＋１により計算した結果の値が格納される。ＦＣＳは，IEEE802.3準拠のＦＣＳ演算結果が格納される。
【００９８】
ここで，試験フレームの正常性検査のために，ペイロードをランダムデータ（ユーザデータ）およびＣＲＣの構成とする理由は次の通りである。すなわち，汎用の論理レイヤ装置（たとえばＭＡＣチップ）では受信するフレームに対してはＦＣＳ検査を行い，誤りを検出した場合にはフレームを廃棄する。しかし，フレームを外部へ送信する場合にはＦＣＳ演算を行い，新しい演算結果をＦＣＳ領域に上書きすることが多い。仮に論理レイヤ部内でビットエラーが発生した場合，エラーを有するデータのままＦＣＳ演算および上書きが行われてしまうため，エラー検出が不可能となる。以上の理由から，ペイロードに対してＣＲＣ検査を行うことで，論理レイヤ装置内で生じた誤りが検出可能になる。
【００９９】
なお，光ファイバ７への送信時には，８バイトのプリアンブルがフレームの先頭に付けられる。
【０１００】
この試験フレームを用いた折り返し試験には，論理レイヤのＭＡＣアドレス学習によるスイッチング機能を利用する第１の方法と，バーチャルＬＡＮ（ＶＬＡＮ：Virtual Local Area Network）機能を利用する第２の方法とがある。以下，それぞれの詳細について説明する。
【０１０１】
（１）第１の方法
第１の方法は，論理レイヤ装置１３が試験フレームの宛先アドレスＤＡおよび送信元アドレスＳＡを識別し，論理レイヤ装置１３のアドレス学習機能とスイッチング機能を利用して，試験対象の宅内ＭＣ２が接続されるポート＃ｉを選択し，試験フレームの転送を行うものである。
【０１０２】
図１０は，第１の方法による折り返し試験の処理の流れを示すシーケンス図である。ここでは，一例として，試験フレーム処理部２ｂが接続された論理レイヤ装置１３のポート＃Ｌ（ポート部３ａL）をポート＃８とし，Ｎ＝８として，ポート＃Ｎ−１をポート７とする。また，ポート＃０について試験を行う場合について説明する。
【０１０３】
図１０では，従来と同様に，ＯＡＭフレームによる折り返し試験開始要求（LOOP-MCQ）および開始応答（LOOP-MCS）が送受信され，宅内ＭＣ２については物理レイヤ内にループ点の設定が行われ，局内ＭＣ１についても，物理レイヤ内にループ経路を設定した後の処理が示されている。
【０１０４】
試験フレーム処理部２ｂは，宛先ＭＡＣアドレスＤＡを論理レイヤ装置１３のポート＃０のポート番号（0x00-00-00-00-00-01とする。）とし，送信元ＭＡＣアドレスＳＡを＃８のポート番号（0x00-00-00-00-00-09とする。）とする試験フレームを生成する（ステップＳ１）。いずれのアドレスもユニキャストアドレスである。
【０１０５】
続いて，試験フレーム処理部２ｂは，生成した試験フレームを論理レイヤ装置１３に送信する。論理レイヤ装置１３のポート部３ａL（ポート＃８）は，試験フレームを受信することにより，送信元アドレスＳＡ0x00-00-00-00-00-09を学習し，論理レイヤ装置１３が保持するアドレス学習メモリ（図示略）に，ポート＃８のアドレス（ローカルアドレス）として0x00-00-00-00-00-09を書き込む（ステップＳ２）。
【０１０６】
論理レイヤ装置１３は，試験フレームの宛先アドレスＤＡを参照して，このアドレスが示すポート＃０から試験フレームを出力する。なお，論理レイヤ装置１３のポート＃０〜＃７に対応するアドレス0x00-00-00-00-00-01〜0x00-00-00-00-00-08は，論理レイヤ装置１３が保持するアドレス学習メモリに，ＣＰＵ１４によって初期設定時等にあらかじめ設定されている。そして，論理レイヤ装置１３は，宛先アドレスＤＡと一致するアドレスを有するポートに試験フレームを転送し，出力する。
【０１０７】
論理レイヤ装置１３のポート＃０から出力された試験フレームは，保守サブレイヤ装置１２のポート＃０（ポート部２ａ0）に受信され，物理レイヤ装置１１のポート＃０（ポート部１ａ0）から宅内ＭＣ２1に送信される。
【０１０８】
宅内ＭＣ２1から折り返えされた試験フレームは，物理レイヤ装置１１のポート部１ａ0を介して保守サブレイヤ装置１２のポート２ａ0に受信される。保守サブレイヤのポート部２ａ0は，受信した試験フレーム（ＭＡＣフレーム）がそのイーサタイプから試験フレームであると判断すると（ステップＳ３），宛先アドレスＤＡと送信元アドレスＳＡとを交換（すなわち，ＤＡ＝0x00-00-00-00-09，ＳＡ＝0x00-00-00-00-00-01）する（ステップＳ４）。そして，保守サブレイヤのポート部２ａ0は，アドレスの交換に基づき，ＦＣＳを再計算し（ステップＳ５），論理レイヤ装置１３のポート部３ａ0に送信する。
【０１０９】
論理レイヤ装置１３のポート部３ａ0は，受信した試験フレームの宛先アドレスＤＡと一致するポートをアドレス学習テーブルから検索する。宛先アドレスＤＡ0x00-00-00-00-09はアドレス学習機能によって宛先ポート＃８のアドレスであることが，アドレス学習テーブルに記憶されているので，試験フレームは，ポート＃８に送信され，ポート＃８から試験フレーム処理部２ｂに与えられる。
【０１１０】
なお，ステップＳ５のＦＳＣ再計算後に，データエラーが発生した場合には，論理レイヤ装置１３の受信時にＦＣＳエラーが検出され，この試験フレームは廃棄される。
【０１１１】
試験フレーム処理部２ｂは，受信した試験フレームのＣＲＣ検査を行う。ＣＲＣ検査の結果，誤りが検出された場合には，試験フレーム処理部２ｂは，自己が保持するエラーカウンタにカウントする。
【０１１２】
この試験フレームによる折り返し試験は，１つのポートに対して複数回（たとえば２５６回）繰り返され，この間，ＣＲＣ検査によるエラーカウンタの積算が行われる。また，試験フレーム処理部２ｂは，返信された試験フレームの個数もカウントする。送信した試験フレームの個数と，返信された試験フレーム数との差は，ＦＣＳエラーにより廃棄されたフレーム数を意味する。
【０１１３】
試験の終了後，折り返し試験の結果として，試験フレーム処理部２ｂは，受信したフレーム数と，受信したフレームのうちＣＲＣ誤りを検出したフレーム数とをＯｐＳへ通知する。
【０１１４】
この第１の方法は，宅内ＭＣ２に使用される汎用デバイスがIEEE802.1Qタグの透過を保証せず，第２の方法のＶＬＡＮ機能を利用できない場合に，特に有効な方法である。
【０１１５】
この第１の方法においては，試験フレームの折り返し点（ループ点）を宅内ＭＣ２とせずに，局内ＭＣ１の物理レイヤ装置１１内に設定することもできる。これにより，障害箇所の切り分け（絞り込み）が可能になる。
【０１１６】
また，試験時間を可変に設定することにより，短時間の導通確認試験から長時間の伝送特性の観測まで可能になる。さらに，試験フレーム長を可変に設定することにより，データ長による導通特性の違いを検査することができる。
【０１１７】
ユーザデータ（ランダムデータ）に対するＣＲＣの値を敢えて誤った値に設定して送信／返信することにより，試験フレーム処理部２ｂがＣＲＣのエラーを検出可能かどうかを試験することもできる。すなわち，試験フレーム処理部２ｂのエラー検出機能の試験を行うこともできる。
【０１１８】
また，従来の物理レイヤを試験する折り返し試験と併用することで，障害レイヤの絞り込み（特定）を行うこともできる。
【０１１９】
（２）第２の方法
第２の方法は，試験フレームの宛先アドレスＤＡをブロードキャストアドレスとし，IEEE802.1QTag機能と組み合わせて，試験対象の宅内ＭＣ２が接続されるポートを選択し，試験フレームの転送を行うものである。
【０１２０】
宅内ＭＣ２においてIEEE802.1QTagの透過が保証されるデバイスが使用される場合には，第２の方法を利用することが有効である。
【０１２１】
図１１は，第２の方法における試験フレームのフォーマットを示している。前述した図９に示す試験フレームと異なる点は，送信元アドレスＳＡとイーサタイプとの間にIEEE802.1QTag（４バイト）が含まれている点である。
【０１２２】
宛先アドレスＤＡは，ブロードキャストアドレス0xFF-FF-FF-FF-FF-FFとされる。送信元アドレスＳＡは，第１の方法と同様に試験フレーム処理部２ｂに接続されるポート＃８（＃Ｌ）のポート番号0x00-00-00-00-00-09とされる。
【０１２３】
IEEE802.1Qtagは，２バイトのＴＰＩＤ（Tag Protocol Identifier）および２バイトのＴＣＩ（Tag Control Identifier）からなる。ＴＣＩは，さらに，ＱｏＳ等に使用される３ビットのユーザプライオリティ，トークンリング等の処理に使用される１ビットのＣＦＩ（Canonical Format Indicator），および１２ビットのＶＬＡＮ-ＩＤ（VLAN Identifier）からなる。ＶＬＡＮでは，ＴＰＩＤおよびＶＬＡＮ−ＩＤが，論理レイヤ装置１３の処理に必要となる。
【０１２４】
ＴＰＩＤは，試験フレーム処理部２ｂによって，ＶＬＡＮを使用することを示す０ｘ８１００に設定される。
【０１２５】
ＶＬＡＮ−ＩＤは，ネットワーク上に複数のＶＬＡＮが設定されている場合に，各ＶＬＡＮを識別するための識別子である。論理レイヤ装置１３には，ポート＃０〜＃７のそれぞれとポート＃８とを結ぶ８つのＶＬＡＮ（ポート型ＶＬＡＮ，ポートベースＶＬＡＮ）がＣＰＵ１４によって，初期設定時等にあらかじめ設定される。各ＶＬＡＮには，ＶＬＡＮ−ＩＤ（ユーザにより使用されていないＩＤ）がＣＰＵ１４によってあらかじめ割り当てられる。これらＶＬＡＮ−ＩＤは，試験フレーム処理部２ｂにも，ＣＰＵ１４によってあらかじめ通知（設定）される。
【０１２６】
なお，ペイロードは，図９と同様に，ランダムデータおよびＣＲＣを有し，この構成にする理由は，第１方法で述べたものと同じである。
【０１２７】
図１２は，第２の方法による折り返し試験の処理の流れを示すシーケンス図である。
【０１２８】
試験フレーム処理部２ｂは，たとえばポート＃０について試験を行うようにＯｐＳから指令を受けると，ポート＃０に対応するＶＬＡＮ−ＩＤを設定した試験フレームを生成し（ステップＳ１１），論理レイヤ装置１３のポート＃８に送信する。
【０１２９】
ポート＃８は，受信した試験フレームのＴＰＩＤが0x8100であることから，この試験フレームがＶＬＡＮのフレームであることを認識し，そのＶＬＡＮ−ＩＤに基づいて，試験フレームを論理レイヤ装置１３のポート＃０に転送する。なお，宛先アドレスＤＡはブロードキャストアドレスであるが，試験用ＶＬＡＮに属する宛先ポートはポート＃０であるため，試験フレームはポート＃０へのみ転送される。また，論理レイヤ装置１３が有するアドレス学習機能によって，ポート＃８のポートアドレスは，アドレス0x00-00-00-00-00-09として，アドレス学習メモリに記憶される。
【０１３０】
宅内ＭＣ２において，ＶＬＡＮが許容されている場合には，論理レイヤ装置１３のポート＃０は，試験フレームをそのまま保守サブレイヤ装置１２のポート＃０に送信する。そして，この試験フレームは，宅内ＭＣ２＃０に送信され，折り返して，論理レイヤ装置１３のポート＃０に返信される。
【０１３１】
一方，宅内ＭＣ２においては，ＶＬＡＮが許容されていない場合もある。この場合には，論理レイヤ装置１３のポート＃０は，IEEE802.1Qtagを試験フレームから除去し（ステップＳ１２），除去後の試験フレーム（図９に示す試験フレームと同一フォーマット）を保守サブレイヤ装置１２のポート＃０に送信することもできる。その後，宅内装置２＃０から折り返し返信された試験フレームが論理レイヤ装置１３のポート＃０に受信されると，論理レイヤ装置１３のポート＃０は，削除したIEEE802.1Qtagを試験フレームに付加する（ステップＳ１３）。
【０１３２】
宅内ＭＣ＃０から折り返し返信された試験フレームは，保守サブレイヤ装置１２をスルーし，論理レイヤ装置１３のポート＃０に受信される。すなわち，保守サブレイヤ装置１３は，第１の方法における宛先アドレスＤＡおよび送信元アドレスＳＡの交換およびＦＣＳの再計算処理を実行しない。これにより，試験フレームの高速な通信が可能となり，また，保守サブレイヤ装置１２の構成を簡単にし，回路規模を小さくすることができる。
【０１３３】
論理レイヤ装置１３のポート＃０は，受信した試験フレームを，ＶＬＡＮの設定に従ってポート＃８に転送する。また，論理レイヤ装置１３が有するアドレス学習機能によって，ポート＃０のポートアドレスは，アドレス0x00-00-00-00-00-09として，アドレス学習メモリに記憶される。ポート＃８は，試験フレーム処理部２ｂに試験フレームを送信する。
【０１３４】
論理レイヤ装置１３のポート＃０によって受信されるまでに，試験フレームにエラーが発生した場合には，論理レイヤ装置１３の受信時のＦＣＳエラー検出によって試験フレームは廃棄され，試験フレーム処理部２ｂには送信されない。
【０１３５】
試験フレーム処理部２ｂは，第１の方法と同様にして，受信した試験フレームのＣＲＣ検査を行い，ＣＲＣ誤りを検出したフレーム数および受信したフレーム数を試験結果としてＯｐＳへ通知する。
【０１３６】
この第２の方法によっても，論理レイヤを含む試験が可能となり，また，より高速に試験を行うことができる。
【０１３７】
なお，論理レイヤ装置１３のポート＃０および＃８に試験フレームが受信されることにより，これらのポートアドレスが，アドレス0x00-00-00-00-00-09として，繰り返し学習されることとなる。この学習の繰り返しが高速に行われると，使用されるＭＡＣチップによっては端末（宅内ＭＣ２）に移動が発生していると判断して，試験フレームを廃棄する場合がある。これを防止するために，試験フレームの廃棄が起こらない程度に試験フレームの送信レートを低く設定しておくことが好ましい。
【０１３８】
第２の方法においても，第１の方法と同様に，試験フレームの折り返し点を，宅内ＭＣ２に加えて，局内ＭＣ１の物理レイヤ装置１１内に設定することができる。これにより，障害箇所の切り分けが可能になる。また，試験時間を可変にすることにより，短時間の導通確認から長時間の伝送特性の観測までが可能になる。
【０１３９】
さらに，試験フレーム長を可変にすることにより，データ長による導通特性の違いを検査することができる。ＣＲＣの計算結果を敢えて誤った値とすることにより，試験フレーム処理部２ｂの誤り検出機能をチェックすることもできる。従来の物理レイヤのみの機能確認を行うことができる折り返し試験と併用することにより，障害レイヤの切り分けを行うこともできる。
【０１４０】
これまで述べた実施の形態では，折り返し試験の結果がＯｐＳに通知されるが，試験結果は，局内ＭＣ１が有する表示装置に表示されてもよい。
【０１４１】
（付記１）  光ファイバにより加入者線終端装置に接続される加入者線端局装置において，
前記加入者線終端装置から前記光ファイバを介して送信され，該加入者終端装置における複数の監視項目の正常または異常をそれぞれ表す複数の監視信号を受信する受信部と，
前記受信部により受信された前記複数の監視信号のうち，２以上のものが異常を表す場合には，該２以上の異常を表す監視信号の中から所定の優先順位に基づいて優先順位の高い監視信号を選択する選択部と，
を備えていることを特徴とする加入者線端局装置。
【０１４２】
（付記２）  付記１において，
前記複数の監視信号は，前記加入者線終端装置の電源の正常または異常を表す第１信号，前記加入者線終端装置とユーザ端末とを接続するケーブルの正常または異常を表す第２信号，前記加入者終端装置の前記光ファイバの光信号の受信状態の正常または異常を表す第３信号，および前記加入者線終端装置の装置の正常または異常を表す第４信号を含み，
前記優先順位は，前記第１信号と前記第２信号との優先順位，前記第１信号と前記第３信号との優先順位，および前記第１信号と前記第４信号との優先順位を規定する，
ことを特徴とする加入者線端局装置。
【０１４３】
（付記３）  付記１または２において，
前記複数の監視信号はＯＡＭフレームにより前記加入者線終端装置から送信され，前記受信部により受信される，
ことを特徴とする加入者線端局装置。
【０１４４】
（付記４）  光ファイバにより加入者線終端装置に接続される加入者線端局装置において，
自装置における複数の監視項目の正常または異常を監視し，異常を検出した監視項目に対応する警報信号を出力する監視部と，
前記監視部が前記複数の監視項目のうち２以上の監視項目にそれぞれ対応する２以上の警報信号を出力した場合には，該２以上の警報信号の中から所定の優先順位に基づいて優先順位の高い警報信号を選択する選択部と，
を備えていることを特徴とする加入者線端局装置。
【０１４５】
（付記５）  付記４において，
前記警報信号は，自装置の装置故障を表す信号および前記光ファイバの異常を表す信号を含み，
前記優先順位は，これら２つの信号の優先順位を規定する，
ことを特徴とする加入者線端局装置。
【０１４６】
（付記６）  光ファイバにより加入者線終端装置に接続される加入者線端局装置において，
自装置における複数の監視項目の正常または異常を監視し，異常を検出した監視項目に対応する警報信号を出力する監視部と，
前記加入者線終端装置から前記光ファイバを介して送信され，該加入者終端装置における複数の監視項目の正常または異常をそれぞれ表す複数の監視信号を受信する受信部と，
前記監視部が前記複数の監視項目のうち２以上の監視項目にそれぞれ対応する２以上の警報信号を出力した場合には，該２以上の警報信号の中から所定の優先順位に基づいて優先順位の高い警報信号を選択し，前記受信部により受信された前記複数の監視信号のうち，２以上のものが異常を表す場合には，該２以上の異常を表す監視信号の中から前記優先順位に基づいて優先順位の高い監視信号を選択し，または，前記監視部が前記複数の監視項目のうち少なくとも１つの監視項目に対応する警報信号を出力し，かつ，前記受信部により受信された前記複数の監視信号のうち少なくとも１つが異常を表す場合には，前記少なくとも１つの警報信号および前記少なくとも１つの監視信号の中から前記優先順位に基づいて優先順位の高い警報信号または監視信号を選択する選択部と，
を備えていることを特徴とする加入者線端局装置。
【０１４７】
（付記７）  付記６において，
前記複数の監視信号は，前記加入者線終端装置の電源の正常または異常を表す第１信号，前記加入者線終端装置とユーザ端末とを接続するケーブルの正常または異常を表す第２信号，前記加入者終端装置の前記光ファイバの光信号の受信状態の正常または異常を表す第３信号，および前記加入者線終端装置の装置の正常または異常を表す第４信号を含み，
前記警報信号は，該加入者線端局装置の装置故障を表す第５信号および前記光ファイバの異常を表す第６信号を含み，
前記優先順位は，前記第１信号と前記第２信号との優先順位，前記第１信号と前記第３信号との優先順位，前記第１信号と前記第４信号との優先順位，前記第１信号と前記第６信号との優先順位，前記第６信号と前記第３信号との優先順位，および前記第５信号と前記第６信号との優先順位を規定する，
ことを特徴とする加入者線端局装置。
【０１４８】
（付記８）  付記６または７において，
前記選択部は，同時または所定の時間内に，前記監視部が前記２以上の警報信号を出力した場合，前記異常を表す２以上の監視信号が前記受信部により受信された場合，または，前記監視部が前記少なくとも１つの警報信号を出力し，かつ，前記異常を表す少なくとも１つの監視信号が前記受信部により受信された場合に，前記優先順位に基づく選択を行う，
ことを特徴とする加入者線端局装置。
【０１４９】
（付記９）  付記６から８のいずれか１つにおいて，
前記複数の監視信号はＯＡＭフレームにより前記加入者線終端装置から送信され，前記受信部により受信される，
ことを特徴とする加入者線端局装置。
【０１５０】
（付記１０）  光ファイバを介して加入者線終端装置に接続されて前記光ファイバを介して通信されるデータに対して物理レイヤの処理を行う物理レイヤ装置と，論理レイヤの処理を行う論理レイヤ装置と，前記物理レイヤの一部を構成する保守用サブレイヤの処理を実行し，前記物理レイヤ装置と前記論理レイヤ装置とに接続された保守サブレイヤ装置とを有する加入者線端局装置において，
前記保守サブレイヤ装置は，
前記加入者線終端装置または前記物理レイヤ装置との間の折り返し試験を行うための試験データを有するペイロード部を含んだ試験フレームを生成して前記論理レイヤ装置に送信するとともに，前記加入者線終端装置または前記物理レイヤ装置から折り返し返信された前記試験フレームを前記論理レイヤ装置から受信して検査する試験フレーム処理部と，
前記論理レイヤ装置から受信された前記試験フレームを前記物理レイヤ装置に転送するとともに，前記物理レイヤ装置から受信された前記試験フレームを前記論理レイヤ装置に転送するポート部と，
を備え，
前記論理レイヤ装置は，前記試験フレーム処理部からの前記試験フレームを前記ポート部へ転送し，前記ポート部からの前記試験フレームを前記試験フレーム処理部に転送する転送部を備えている，
ことを特徴する加入者線端局装置。
【０１５１】
（付記１１）  付記１０において，
前記試験フレームは，前記転送部における前記ポート部に接続された第１ポートの識別子を宛先アドレスとして含み，前記転送部における前記試験フレーム処理部に接続された第２ポートの識別子を送信元アドレスとして含み，
前記ポート部は，前記物理レイヤ装置から受信された前記試験フレームの前記送信元アドレスと前記宛先アドレスとを交換し，
前記転送部は，前記第１ポートの識別子をあらかじめ記憶するとともに，試験フレームを前記試験フレーム処理部から受信すると，受信した試験フレームの送信元アドレスを前記第２ポートの識別子として記憶して，その宛先アドレスに基づいて該試験フレームを前記第１ポートから前記ポート部に転送し，試験フレームを前記ポート部から受信すると，受信した試験フレームの宛先アドレスに基づいて該試験フレームを前記第２ポートから前記試験フレーム処理部に転送する，
ことを特徴とする加入者線端局装置。
【０１５２】
（付記１２）  付記１１において，
前記試験フレームは，フレームチェックシーケンスをさらに含み，
前記ポート部は，前記物理レイヤから受信された前記試験フレームの前記送信元アドレスと前記宛先アドレスとを交換した後の試験フレームのフレームチェックシーケンスを再計算し，該試験フレームに書き込む，
ことを特徴とする加入者線端局装置。
【０１５３】
（付記１３）  付記１０において，
前記試験フレームは，バーチャルＬＡＮの識別子を有するバーチャルＬＡＮ用タグをさらに含み，
前記論理レイヤ装置には，前記転送部における前記ポート部に接続された第１ポートと前記転送部における前記試験フレーム処理部に接続された第２ポートとを結ぶ，前記バーチャルＬＡＮの識別子に対応するバーチャルＬＡＮがあらかじめ設定され，
前記転送部は，前記試験フレームに含まれるバーチャルＬＡＮ用タグの前記バーチャルＬＡＮの識別子に対応するバーチャルＬＡＮに基づいて，前記試験フレームを前記試験フレーム処理部から前記第２ポートおよび第１ポートを介して前記ポート部に転送するとともに，前記ポート部から第１ポートおよび第２ポートを介して前記試験フレーム処理部に転送する，
ことを特徴とする加入者線端局装置。
【０１５４】
（付記１４）  付記１０から１３のいずれか１つにおいて，
前記ペイロード部は，試験データと該試験データの誤り検査データとからなり，
前記試験フレーム処理部は，前記誤り検査データに基づいて返信された試験フレームと検査する，
ことを特徴とする加入者線端局装置。
【０１５５】
（付記１５）  付記１４において，
前記試験フレーム処理部は，前記検査データを誤った値に設定して送信する，ことを特徴とする加入者線端局装置。
【０１５６】
（付記１６）  付記１０から１５のいずれか１つにおいて，
前記ペイロード部は可変長である，ことを特徴とする加入者線端局装置。
【０１５７】
（付記１７）  付記１０から１６のいずれか１つにおいて，
前記試験フレームは複数回送受信され，該送受信回数が設定可能である，ことを特徴とする加入者線端局装置。
【０１５８】
（付記１８）  付記１０から１７のいずれか１つにおいて，
前記物理レイヤ装置は，自装置の内部で折り返して前記第１ポート部に返信する，
ことを特徴とする加入者線端局装置。
【０１５９】
（付記１９）  付記１０から１８のいずれか１つにおいて，
前記論理レイヤは媒体アクセス制御レイヤであり，前記試験フレームは媒体アクセス制御フレームである，
ことを特徴とする加入者線端局装置。
【０１６０】
（付記２０）  光ファイバを介して加入者線終端装置に接続され，前記光ファイバを介して通信されるデータに対して物理レイヤの処理を行う物理レイヤ装置と，論理レイヤの処理を行う論理レイヤ装置と，前記物理レイヤの一部を構成する保守用サブレイヤの処理を実行し，前記物理レイヤ装置と前記論理レイヤ装置とに接続された保守サブレイヤ装置とを有する加入者線端局装置の折り返し試験方法であって，
前記保守サブレイヤ装置は，前記加入者線終端装置または前記物理レイヤ装置との間の折り返し試験を行うための試験データを有するペイロード部を含んだ試験フレームを生成して前記論理レイヤ装置に送信し，
前記論理レイヤ装置は，前記保守サブレイヤ装置からの前記試験フレームを前記保守サブレイヤ装置を介して前記物理レイヤ装置に転送し，
前記保守サブレイヤ装置は，前記加入者線終端装置または前記物理レイヤ装置から折り返し返信された前記試験フレームを前記論理レイヤ装置に返信し，
前記論理レイヤ装置は，前記保守サブレイヤ装置から返信された前記試験フレームを前記保守サブレイヤ装置にさらに返信し，
前記保守サブレイヤ装置は，前記論理レイヤ装置から返信された前記試験フレームを受信して検査する，
折り返し試験方法。
【図面の簡単な説明】
【０１６１】
【図１】（Ａ）および（Ｂ）は，加入者線端局装置および加入者終端装置を有する加入者系光通信システムの全体構成を示すブロックである。
【図２】局内ＭＣおよび宅内ＭＣの論理階層モデルを示すブロック図である。
【図３】（Ａ）は制御信号および監視信号の送受信の様子を示し，（Ｂ）は制御信号の内容を示し，（Ｃ）は監視信号の内容を示し，（Ｄ）は局内ＭＣが検出する警報を示す。
【図４】本発明の実施の形態による局内ＭＣの詳細な構成を示すブロック図である。
【図５】（Ａ）はＯＡＭフレームのフレームフォーマットを示し，（Ｂ）は，ＯＡＭフレームを構成する各ビットデータの内容を示している。
【図６】ＯＡＭフレームがアイドル領域（ＩＰＧ）に挿入されて送信される様子を示す。
【図７】複数の警報信号の優先順位を表形式で示す。
【図８】警報信号の優先処理の一例を示すタイムチャートである。
【図９】本発明の実施の形態による試験フレームのフォーマットを示す。
【図１０】第１の方法による折り返し試験の処理の流れを示すシーケンス図である。
【図１１】本発明の実施の形態による試験フレームのフォーマットを示す。
【図１２】第２の方法による折り返し試験の処理の流れを示すシーケンス図である。
【図１３】従来の折り返し試験のシーケンス図である。
【図１４】従来の試験フレームのフォーマットを示す。
【符号の説明】
【０１６２】
１  加入者線端局装置（局内ＭＣ）
２0〜２n  加入者線終端装置（宅内ＭＣ）
５0〜５n  ＵＴＰケーブル
６0〜６n  光ファイバケーブル
７0〜７n  ＵＴＰケーブル
１４  ＣＰＵ
１５  メモリ
１１  物理レイヤ装置
１２  保守サブレイヤ装置
１３  論理レイヤ装置
１ａ0〜１ａN-1  物理レイヤ装置のポート部
２ａ0〜２ａN-1  保守サブレイヤ装置のポート部
２ｂ  試験フレーム処理部
３ａ0〜３ａN-1  論理レイヤ装置のポート部
【図１】
2008109654.tif 000003
【図２】
2008109654.tif 000004
【図３】
2008109654.tif 000005
【図４】
2008109654.tif 000006
【図５】
2008109654.tif 000007
【図６】
2008109654.tif 000008
【図７】
2008109654.tif 000009
【図８】
2008109654.tif 000010
【図９】
2008109654.tif 000011
【図１０】
2008109654.tif 000012
【図１１】
2008109654.tif 000013
【図１２】
2008109654.tif 000014
【図１３】
2008109654.tif 000015
【図１４】
2008109654.tif 000016